(57)【要約】【課題】  粉末状のアルカリ性成分と酸性成分との浴湯への溶解・攪拌を迅速，容易，確実になし，もって浴湯中で継続的に炭酸ガスを発生させ高濃度の炭酸ガスを長時にわたり維持することができる浴用炭酸泉の簡易製造装置の提供。【解決手段】タンク周面に配設の複数の小孔を介して内部に浴湯を取り入れてその小孔より上方のタンク上側部を湯面上に位置せしめる溶解タンクとその下方に接続して浴湯中に位置する水中ポンプとからなるアルカリ性又は酸性の粉末状成分の溶解・攪拌装置本体を具備し、溶解タンク内に収容の浴湯中に漉し器を介して投入された粉末状のアルカリ性成分又は酸性成分は夫々別々に湯船内の温水を循環還流させる水中ポンプに吸引される旋回流を受けて溶解・攪拌されて湯船の浴湯中に溶液状となって落とし込まれ繰り返し循環還流・拡散されて緩やかに接触し，高濃度の炭酸ガスが継続して発生され長時間維持される。【選択図】図１
2014004503.tif 000002
【特許請求の範囲】
【請求項１】
タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用い粉末状のアルカリ性成分又は粉末状の酸性成分を投入する蓋付きの溶解タンクと，その下方に接続して浴湯中に配置され前記溶解タンク内に取り入れられた湯船の浴湯の吸引に伴い湯船の浴湯中の温水を循環還流せしめる水中ポンプとからなる，粉末状のアルカリ性成分又は粉末状の酸性成分の溶解・攪拌を図る溶解・攪拌装置本体を具備してなり、前記溶解タンク内に取り入れられた浴湯中および溶解タンク内の目の細かい金網状の漉し器内面上に向けて投入された粉末状のアルカリ性成分又は粉末状の酸性成分は，前記下方の水中ポンプによる溶解タンク内に取り入れられた湯船の浴湯の吸引に伴う旋回流を受けて目の細かい金網状の漉し器を通過せしめられ夫々別々に溶解・攪拌されて，水中ポンプの吐出口より湯船の浴湯中深くにまで落とし込まれ，その夫々別々に溶液状となったアルカリ性成分と酸性成分とは前記溶解タンクと水中ポンプとを介した浴湯中の温水の循環還流により湯船の浴湯中で緩やかに繰り返し循環拡散されて接触し，浴湯中に炭酸ガスが継続して発生されるようになしたことを特徴とする浴用炭酸泉の簡易製造装置。
【請求項２】
タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用い粉末状のアルカリ性成分又は粉末状の酸性成分を投入する蓋付きの溶解タンクと，その下方に接続して浴湯中に配置され前記溶解タンク内に取り入れられた湯船の浴湯の吸引に伴い湯船の浴湯中の温水を循環還流せしめる水中ポンプとからなる，粉末状のアルカリ性成分又は粉末状の酸性成分の溶解・攪拌を図る溶解・攪拌装置本体を具備してなり、このアルカリ性成分又は酸性成分の粉末状成分の溶解・攪拌装置本体一対を湯船の両側端部又は偶角部に対向離隔して配置し，その粉末状成分の溶解・攪拌装置本体の一方をアルカリ性成分用，他方を酸性成分用となし、前記溶解タンク内に取り入れられた浴湯中および溶解タンク内の目の細かい金網状の漉し器内面上に向けて投入された粉末状のアルカリ性成分又は粉末状の酸性成分は，前記下方の水中ポンプによる溶解タンク内に取り入れられた湯船の浴湯の吸引に伴う旋回流を受けて目の細かい金網状の漉し器を通過せしめられ夫々別々に溶解・攪拌されて，水中ポンプの吐出口より湯船の浴湯中深くにまで落とし込まれ，その夫々別々に溶液状となったアルカリ性成分と酸性成分とは前記溶解タンクと水中ポンプとを介した浴湯中の温水の循環還流により湯船の浴湯中で緩やかに繰り返し循環拡散されて接触し，浴湯中に炭酸ガスが継続して発生されるようになしたことを特徴とする浴用炭酸泉の簡易製造装置。
【請求項３】
タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用い粉末状のアルカリ性成分又は粉末状の酸性成分を投入する蓋付きの溶解タンクと，その下方に接続して浴湯中に配置され前記溶解タンク内に取り入れられた湯船の浴湯の吸引に伴い湯船の浴湯中の温水を循環還流せしめる水中ポンプとからなる，粉末状のアルカリ性成分又は粉末状の酸性成分の溶解・攪拌を図る溶解・攪拌装置本体を具備してなり、このアルカリ性成分又は酸性成分の粉末状成分の溶解・攪拌装置本体を湯船の四隅に対向離隔して配置し，この四隅に対向する粉末状成分の溶解・攪拌装置本体を四隅交互にアルカリ性成分用と酸性成分用とに分け、前記溶解タンク内に取り入れられる浴湯中および溶解タンク内の目の細かい金網状の漉し器内面上に向けて投入された粉末状のアルカリ性成分又は粉末状の酸性成分は，前記下方の水中ポンプによる前記溶解タンク内に取り入れられた湯船の浴湯の吸引に伴う旋回流を受けて目の細かい金網状の漉し器を通過せしめられ夫々別々に溶解・攪拌されて，水中ポンプの吐出口より湯船の浴湯中深くにまで落とし込まれ，その夫々別々に溶液状となったアルカリ性成分と酸性成分とは前記溶解タンクと水中ポンプとを介した浴湯中の温水の循環還流により湯船の浴湯中で緩やかに繰り返し循環拡散されて接触し，浴湯中に炭酸ガスが継続して発生されるようになしたことを特徴とする浴用炭酸泉の簡易製造装置。
【請求項４】
下方の水中ポンプによる溶解タンク内に取り入れられた湯船の浴湯の吸引に伴う旋回流と相まって粉末状のアルカリ性成分又は粉末状の酸性成分の溶解・攪拌を図るべく溶解タンク内に配設された目の細かい金網状の漉し器の形状を，下方に向けて深くＵ字形に湾曲するＵ字型形状もしくは上方に向けて浅く逆Ｕ字形に湾曲するフラットな皿型形状となしたことを特徴とする請求項１、請求項２又は請求項３に記載の浴用炭酸泉の簡易製造装置。
【請求項５】
粉末状成分の溶解タンク内周面にメッシュないしブラシ状のマットを張り巡らして，下方の水中ポンプによる溶解タンク内に取り入れられた湯船の浴湯の吸引に伴う旋回流を受けて溶解・攪拌される粉末状のアルカリ性成分又は粉末状の酸性成分を前記メッシュないしブラシ状のマットの絡みつく繊維内へ押し込み通過させることにより，粉末状成分の温水中への溶解度を高めるようになしたことを特徴とする請求項１、請求項２、請求項３又は請求項４に記載の浴用炭酸泉の簡易製造装置。
【請求項６】
粉末状のアルカリ性成分又は粉末状の酸性成分を投入し溶解・攪拌を図る蓋付きの溶解タンクの湯船の湯面に対する位置決め姿勢として、タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用いるべく、溶解タンクを棒状ないし紐状の吊り下げ具を介して湯船の縁枠ないし壁面等に吊り下げ配置せしめたことを特徴とする請求項１、請求項２、請求項３、請求項４又は請求項５に記載の浴用炭酸泉の簡易製造装置。
【請求項７】
粉末状のアルカリ性成分又は粉末状の酸性成分を投入し溶解・攪拌を図る蓋付きの溶解タンクの湯船の湯面に対する位置決め姿勢として、タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用いるべく、タンク周面に配設の複数の小孔より上方のタンク上側部周面にタンクと一体の円板型等の鍔状の浮き体を付設せしめて溶解タンクの浮き体より上側部分を浴湯の湯面上に浮かせて溶解タンクを揺動ないし旋回可能となしたことを特徴とする請求項１、請求項２、請求項３、請求項４又は請求項５に記載の浴用炭酸泉の簡易製造装置。
【請求項８】
粉末状のアルカリ性成分又は粉末状の酸性成分を投入し溶解・攪拌を図る蓋付きの溶解タンクの湯船の湯面に対する位置決め姿勢として、タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用いるべく、タンク周面に配設の複数の小孔より上方のタンク上側部周面に発泡スチロール製等のドーナツ円板型等の浮き体を付設せしめて溶解タンクの浮き体より上側部分を浴湯の湯面上に浮かせて溶解タンクを揺動ないし旋回可能となしたことを特徴とする請求項１、請求項２、請求項３、請求項４又は請求項５に記載の浴用炭酸泉の簡易製造装置。
【請求項９】
粉末状のアルカリ性成分として重曹（炭酸水素ナトリウム），炭酸ナトリウム等のアルカリを用い，粉末状の酸性成分としてクエン酸，コハク酸等の酸を用いたことを特徴とする請求項１、請求項２、請求項３、請求項４、請求項５、請求項６、請求項７又は請求項８に記載の簡易浴用炭酸泉の製造装置。
【発明の詳細な説明】
【技術分野】
【０００１】
本発明は、粉末状のアルカリ性成分と粉末状の酸性成分とを，タンクの上側部を湯面上に浮かべ内部に湯船の浴湯を取り入れるタンク下側部を湯面の下方に沈めて用いる粉末状成分の溶解タンクとその下方に接続して浴湯中に配置され前記溶解タンク内に取り入れられた湯船の浴湯の吸引に伴い湯船の浴湯中の温水を循環還流せしめる水中ポンプとを有効利用して，夫々別々に，迅速，容易，確実に溶解・攪拌して浴湯中深くにまで落とし込み循環還流・拡散させて，浴湯中で継続的に炭酸ガスを発生させ，高濃度の炭酸ガスを長時間にわたって維持することができる浴用炭酸泉の簡易製造装置に関するものである。
【０００２】
本発明の浴用炭酸泉の簡易製造装置は、一般家庭での浴槽において手軽に用いることができることはもとより、公衆浴場やホテル，温泉等の公衆入浴施設，その他エステサロンやスパ等の健康増進施設等における使用にも適する。
【背景技術】
【０００３】
従来において、斯かる浴湯中の温水に炭酸ガスが溶け込んだ浴用炭酸泉の製造装置に関するものとしては、次の特許文献１〜３に記載のもの等がある。
【先行技術文献】
【特許文献】
【０００４】
【特許文献１】特許公開平５−２３５５９
【特許文献２】特許公開平７−３１３８５５
【特許文献３】特許第４０１４５４６号公報
【発明の概要】
【発明が解決しようとする課題】
【０００５】
上記従来の特許文献１と２の炭酸泉製造装置は、構造上，本発明が課題とする粉末状のアルカリ性成分と粉末状の酸性成分とを浴湯中の温水と水中ポンプと一部分が湯面上他の一部分が湯面下に位置する粉末状成分の溶解タンクを効率的に利用して，夫々別々に迅速，容易，確実に溶解・攪拌して浴湯中深くにまで落とし込み循環還流・拡散させて，浴湯中で継続的に炭酸ガスを発生させ，高濃度の炭酸ガスを長時間にわたって維持することができるようにしたものとはなっておらず，そのため使用上においても斯かる安定した効果は得られないものであった。  また、浴槽外に配置する高圧炭酸ガスボンベや循環ポンプを用いた温水の循環方式のもの等で構成されているため比較的装置が複雑、大掛かりでコストの点でも高価なものであった。
【０００６】
更に、特許文献３のものは、フマル酸やリンゴ酸の有機酸と炭酸ナトリウム等を含有する固形浴用組成物（炭酸入浴剤）であるが、これらの配合剤をブリケットや錠剤等の固形に成形するために多くの化学物質（薬剤）や接着剤を用いているため、浴湯に投入した際に不溶解物が発生して残留し、浴湯に濁りや湯船にぬめり感がつく等の難点があり、温水中への炭酸ガスの溶解度も優れず、炭酸ガスの発泡粒子も細かくなく、発泡効果の持続時間も比較的短い等の難点があった。
【０００７】
本発明は、斯かる従来の浴用炭酸泉の製造装置や錠剤等の固形入浴剤の有する諸難点を解消し，高濃度の炭酸ガスを継続的に発生させそれを長時間に亘って維持することができる炭酸泉を，炭酸ガス発生の原材料となる粉末状成分の溶解・攪拌操作と浴湯中の温水の循環還流・拡散の構造とに工夫を凝らすことにより簡潔な構造で手軽にかつ経済的に製造し並びに使用することができる，浴用炭酸泉の簡易製造装置を提供することを目的とする。
即ち、従来比較的に難しいとされている粉末状のアルカリ性成分と粉末状の酸性成分との浴湯中への溶解・攪拌と循環還流・拡散とを湯船内で夫々別々に迅速，容易，確実になし，もってアルカリ性成分と酸性成分とが浴湯の湯面近くの表層部分で短時間に接触反応して発生した炭酸ガスが外部に飛散してしまうようなおそれがなく，浴湯中で継続的に炭酸ガスを発生させながら高濃度の炭酸ガスを長時間にわたり維持することができ，更に固形入浴剤の不溶解物の残留による不快な難点も無く，使用上好適である浴用炭酸泉の製造装置を効率的かつ経済的に提供することを目的とするものである。
【課題を解決するための手段】
【０００８】
本発明は、上記の課題を解決するために、特許請求の範囲の各請求項に記載の次の手段を採っている。
【０００９】
請求項１に係る発明では、浴用炭酸泉の簡易製造装置の構造として、  タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用い粉末状のアルカリ性成分又は粉末状の酸性成分を投入する蓋付きの溶解タンクと，その下方に接続して浴湯中に配置され前記溶解タンク内に取り入れられた湯船の浴湯の吸引に伴い湯船の浴湯中の温水を循環還流せしめる水中ポンプとからなる，粉末状のアルカリ性成分又は粉末状の酸性成分の溶解・攪拌を図る溶解・攪拌装置本体を具備してなり、前記溶解タンク内に取り入れられた浴湯中および溶解タンク内の目の細かい金網状の漉し器内面上に向けて投入された粉末状のアルカリ性成分又は粉末状の酸性成分は，前記下方の水中ポンプによる溶解タンク内に取り入れられた湯船の浴湯の吸引に伴う旋回流を受けて目の細かい金網状の漉し器を通過せしめられ夫々別々に溶解・攪拌されて，水中ポンプの吐出口より湯船の浴湯中深くにまで落とし込まれ，その夫々別々に溶液状となったアルカリ性成分と酸性成分とは前記溶解タンクと水中ポンプとを介した浴湯中の温水の循環還流により湯船の浴湯中で緩やかに繰り返し循環拡散されて接触し，浴湯中に炭酸ガスが継続して発生されるようになしたことを特徴とするものである。
【００１０】
請求項２に係る発明では、浴用炭酸泉の簡易製造装置の構造として、  タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用い粉末状のアルカリ性成分又は粉末状の酸性成分を投入する蓋付きの溶解タンクと，その下方に接続して浴湯中に配置され前記溶解タンク内に取り入れられた湯船の浴湯の吸引に伴い湯船の浴湯中の温水を循環還流せしめる水中ポンプとからなる，粉末状のアルカリ性成分又は粉末状の酸性成分の溶解・攪拌を図る溶解・攪拌装置本体を具備してなり、このアルカリ性成分又は酸性成分の粉末状成分の溶解・攪拌装置本体一対を湯船の両側端部又は偶角部に対向離隔して配置し，その粉末状成分の溶解・攪拌装置本体の一方をアルカリ性成分用，他方を酸性成分用となし、前記溶解タンク内に取り入れられた浴湯中および溶解タンク内の目の細かい金網状の漉し器内面上に向けて投入された粉末状のアルカリ性成分又は粉末状の酸性成分は，前記下方の水中ポンプによる溶解タンク内に取り入れられた湯船の浴湯の吸引に伴う旋回流を受けて目の細かい金網状の漉し器を通過せしめられ夫々別々に溶解・攪拌されて，水中ポンプの吐出口より湯船の浴湯中深くにまで落とし込まれ，その夫々別々に溶液状となったアルカリ性成分と酸性成分とは前記溶解タンクと水中ポンプとを介した浴湯中の温水の循環還流により湯船の浴湯中で緩やかに繰り返し循環拡散されて接触し，浴湯中に炭酸ガスが継続して発生されるようになしたことを特徴とするものである。
【００１１】
請求項３に係る発明では、浴用炭酸泉の簡易製造装置の構造として、  タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用い粉末状のアルカリ性成分又は粉末状の酸性成分を投入する蓋付きの溶解タンクと，その下方に接続して浴湯中に配置され前記溶解タンク内に取り入れられた湯船の浴湯の吸引に伴い湯船の浴湯中の温水を循環還流せしめる水中ポンプとからなる，粉末状のアルカリ性成分又は粉末状の酸性成分の溶解・攪拌を図る溶解・攪拌装置本体を具備してなり、このアルカリ性成分又は酸性成分の粉末状成分の溶解・攪拌装置本体を湯船の四隅に対向離隔して配置し，この四隅に対向する粉末状成分の溶解・攪拌装置本体を四隅交互にアルカリ性成分用と酸性成分用とに分け、前記溶解タンク内に取り入れられる浴湯中および溶解タンク内の目の細かい金網状の漉し器内面上に向けて投入された粉末状のアルカリ性成分又は粉末状の酸性成分は，前記下方の水中ポンプによる前記溶解タンク内に取り入れられた湯船の浴湯の吸引に伴う旋回流を受けて目の細かい金網状の漉し器を通過せしめられ夫々別々に溶解・攪拌されて，水中ポンプの吐出口より湯船の浴湯中深くにまで落とし込まれ，その夫々別々に溶液状となったアルカリ性成分と酸性成分とは前記溶解タンクと水中ポンプとを介した浴湯中の温水の循環還流により湯船の浴湯中で緩やかに繰り返し循環拡散されて接触し，浴湯中に炭酸ガスが継続して発生されるようになしたことを特徴とするものである。
【００１２】
請求項４に係る発明では、浴用炭酸泉の簡易製造装置の構造として、請求項１、請求項２又は請求項３に記載の浴用炭酸泉の簡易製造装置において、  下方の水中ポンプによる溶解タンク内に取り入れられた湯船の浴湯の吸引に伴う旋回流と相まって粉末状のアルカリ性成分又は粉末状の酸性成分の溶解・攪拌を図るべく溶解タンク内に配設された目の細かい金網状の漉し器の形状を，下方に向けて深くＵ字形に湾曲するＵ字型形状もしくは上方に向けて浅く逆Ｕ字形に湾曲するフラットな皿型形状となしたことを特徴とするものである。
【００１３】
請求項５に係る発明では、浴用炭酸泉の簡易製造装置の構造として、請求項１、請求項２、請求項３又は請求項４に記載の浴用炭酸泉の簡易製造装置において、粉末状成分の溶解タンク内周面にメッシュないしブラシ状のマットを張り巡らして，下方の水中ポンプによる溶解タンク内に取り入れられた湯船の浴湯の吸引に伴う旋回流を受けて溶解・攪拌される粉末状のアルカリ性成分又は粉末状の酸性成分を前記メッシュないしブラシ状のマットの絡みつく繊維内へ押し込み通過させることにより，粉末状成分の温水中への溶解度を高めるようになしたことを特徴とするものである。
【００１４】
請求項６に係る発明では、浴用炭酸泉の簡易製造装置の構造として、請求項１、請求項２、請求項３、請求項４又は請求項５に記載の浴用炭酸泉の簡易製造装置において、  粉末状のアルカリ性成分又は粉末状の酸性成分を投入し溶解・攪拌を図る蓋付きの溶解タンクの湯船の湯面に対する位置決め姿勢として、タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用いるべく、溶解タンクを棒状ないし紐状の吊り下げ具を介して湯船の縁枠ないし壁面等に吊り下げ配置せしめるようになしたことを特徴とするものである。
【００１５】
請求項７に係る発明では、浴用炭酸泉の簡易製造装置の構造として、請求項１、請求項２、請求項３、請求項４又は請求項５に記載の浴用炭酸泉の簡易製造装置において、  粉末状のアルカリ性成分又は粉末状の酸性成分を投入し溶解・攪拌を図る蓋付きの溶解タンクの湯船の湯面に対する位置決め姿勢として、タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用いるべく、タンク周面に配設の複数の小孔より上方のタンク上側部周面にタンクと一体の円板型等鍔状の浮き体を付設せしめて溶解タンクの浮き体より上側部分を浴湯の湯面上に浮かせて溶解タンクを揺動ないし旋回可能となしたことを特徴とするものである。
【００１６】
請求項８に係る発明では、浴用炭酸泉の簡易製造装置の構造として、請求項１、請求項２、請求項３、請求項４又は請求項５に記載の浴用炭酸泉の簡易製造装置において、  粉末状のアルカリ性成分又は粉末状の酸性成分を投入し溶解・攪拌を図る蓋付きの溶解タンクの湯船の湯面に対する位置決め姿勢として、タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用いるべく、タンク周面に配設の複数の小孔より上方のタンク上側部周面に発泡スチロール製等のドーナツ円板型等の浮き体を付設せしめて溶解タンクの浮き体より上側部分を浴湯の湯面上に浮かせて溶解タンクを揺動ないし旋回可能となしたことを特徴とするものである。
【００１７】
請求項９に係る発明では、浴用炭酸泉の簡易製造装置の構造として、請求項１、請求項２、請求項３、請求項４、請求項５、請求項６、請求項７又は請求項８に記載の浴用炭酸泉の簡易製造装置において、  粉末状のアルカリ性成分として重曹（炭酸水素ナトリウム），炭酸ナトリウム等のアルカリを用い，粉末状の酸性成分としてクエン酸，コハク酸等の酸を用いたことを特徴とするものである。
【発明の効果】
【００１８】
本発明は、上記の構成を採ったので、上記従来の浴用炭酸泉の製造装置や錠剤等の固形入浴剤の有する諸難点を解消し，高濃度の炭酸ガスを継続的に発生させそれを長時間に亘って維持することができる炭酸泉を，炭酸ガス発生の原材料となる粉末状成分の溶解・攪拌操作と浴湯中の温水の循環還流・拡散の構造とに工夫を凝らすことにより簡潔な構成で手軽にかつ経済的に製造し並びに使用することができる，浴用炭酸泉の簡易製造装置を提供することを可能となした。
即ち、従来比較的に難しいとされている粉末状のアルカリ性成分と粉末状の酸性成分との浴湯中への溶解・攪拌と循環還流・拡散とを湯船内で夫々別々に迅速，容易，確実になし，もってアルカリ性成分と酸性成分とが浴湯の湯面近くの表層部分で短時間に接触反応して発生した炭酸ガスが外部に飛散してしまうようなおそれがなく，浴湯中で継続的に炭酸ガスを発生させながら高濃度の炭酸ガスを長時間にわたり維持することができ，更に固形入浴剤の不溶解物の残留による不快な難点も無く，使用上好適である浴用炭酸泉の製造装置を効率的かつ経済的に提供することを可能となしたものである。
【００１９】
請求項１に係る発明においては、浴湯中の温水はタンク周面に配設の複数の小孔より溶解タンク内に取り入れられてくるので、粉末状のアルカリ性成分又は粉末状の酸性成分を投入する蓋付きの溶解タンクは、その小孔より下方のタンク下側部が湯船の湯面下方の浴湯中に沈んで位置し，その小孔より上方のタンク上側部が湯面上に浮かんで位置する状態で用いられる。  そしてその溶解タンク内に導入された浴湯中の温水は、溶解タンク下方に接続されて浴湯中に位置する水中ポンプに吸引されて水中ポンプ吐出口より浴湯中深くにまで吐出されるので，浴湯中の温水は溶解タンク内に順次連続して導入されて湯船内で循環還流される。
そして前記溶解タンク内に導入された浴湯中および溶解タンク内の目の細かい金網状の漉し器内面上に向けて粉末状のアルカリ性成分又は粉末状の酸性成分を投入すると、その粉末状の成分は前記下方の水中ポンプによる溶解タンク内に導入された湯船の浴湯の吸引に伴う旋回流を受けて温水とともに目の細かい金網状の漉し器を通過せしめられ夫々別々に溶解・攪拌されて水中ポンプに吸引される。水中ポンプに吸引された粉末状の成分と温水は水中ポンプの吸引用の回転羽根の高速回転に伴い更に溶解・攪拌が促されて，水中ポンプの吐出口より湯船の浴湯中深くにまで落とし込まれ，その夫々別々に溶液状となったアルカリ性成分と酸性成分とは前記溶解タンクと水中ポンプとを介した浴湯中の温水の循環還流により湯船の浴湯中で緩やかに繰り返し循環拡散されて接触し，浴湯中に炭酸ガスが継続して発生されるようになる。
【００２０】
この場合には、水中ポンプと金網状の漉し器付き溶解タンクとからなる粉末状成分の溶解・攪拌装置本体は単一のものが湯船で用いられるものであるが、湯面上にタンク上側部が浮く溶解タンク内への粉末状成分の投入は，先ず最初に粉末状のアルカリ性成分を投入してそれが水中ポンプからの吸引に伴う溶解タンクに導入された温水の旋回流によって金網状の漉し器を通過せしめられ溶解・攪拌されて水中ポンプ吐出口より浴湯中深くにまで落とし込まれ，浴湯中にその粉末状の成分が確実に均一に溶解される。  その粉末状のアルカリ性成分のが浴湯中への溶解・攪拌が確実に均一になされるのを待って，次に，溶解タンク内に粉末状の酸性成分を投入し，同様の操作によりその粉末状成分の溶解・攪拌と浴湯中深くにまでの落とし込みを通して浴湯中への確実に均一な溶解を図る。
したがって，粉末状のアルカリ性成分と粉末状の酸性成分とは一つの粉末状成分の溶解・攪拌装置本体を用い，時間差をもって夫々別々に溶解・攪拌されるので，装置本体内で同時に混合されて溶解・攪拌されることはない。
【００２１】
そして，溶解タンクと水中ポンプとを介して夫々別々に溶解・攪拌されて浴湯中深くにまで落とし込まれ，浴湯中に夫々別々に確実に均一に溶解されて溶液状となったアルカリ性成分と酸性成分とは、水中ポンプと溶解タンクを介した温水の循環還流により浴湯中で緩やかに繰り返し循環拡散されている間に接触反応し，浴湯中に炭酸ガスが継続して発生されるようになる。  したがって，アルカリ性成分と酸性成分とが短時のうちに浴湯の表層面近くで接触反応して炭酸ガスが発生し外部に飛散されてしまうなどという虞はない。
また前記溶解タンクと水中ポンプとを介した粉末状のアルカリ性成分と粉末状の酸性成分との夫々別々の溶解・攪拌と浴湯中への落とし込み操作とそれを通した浴湯中への粉末状成分の確実かつ均一な溶解作用は連続的に行うことが可能であるから、浴湯中に継続して炭酸ガスが発生されるとともに，その発生する炭酸ガスの濃度も長時間に亘って高濃度に維持させることができる。
【００２２】
従来においてとりわけ難しく時間がかかるとされていた粉末状の重曹（炭酸水素ナトリウム）や炭酸ナトリウム等のアルカリ性成分の浴湯中での溶解操作を，浴湯中の温水と水中ポンプによる溶解タンク内に導入された浴湯中の温水の吸引に伴う旋回流と目の細かい金網状の漉し器を付設した粉末状成分の溶解タンクとを介して得られる浴湯中の温水の循環還流作用と溶解・攪拌作用とを合理的に利用することによって，迅速，容易，確実に行うことを可能となした。
【００２３】
浴湯中で炭酸ガスを継続的に発生させ，その炭酸ガス濃度を長時間にわたり高濃度に維持し得る炭酸泉となすために，アルカリ性成分と酸性成分とを予め手間がかかる水溶液化して大容量で重量の重い水溶液タンク内に収容して用意したり，大規模で重量の重い炭酸ガスボンベを用意する必要がなく、単に小容量で軽量の粉末状成分を袋詰めしたパックを用意し，浴湯中の水中ポンプと湯面上の溶解タンクとからなり湯船内に配置する小型軽量で構造簡潔な粉末状成分の溶解・攪拌装置本体を用意するのみで済むから、製造上，保管上，運搬上，使用上において利便性が高く好適であり、経済的にも低廉に求め得られて好適である。
【００２４】
また上記従来の固形炭酸入浴剤と異なり炭酸ガス発生に用いる材料はクエン酸、コハク酸等の酸と重曹（炭酸水素ナトリウム）、炭酸ナトリウム等のアルカリを使用しているものであり、固形に成形するための多くの化学薬剤や接着剤等を用いていないものであるから、浴槽に不溶解の残留物が残るなどという不都合もない。
【００２５】
以上のとおり，本発明に係る浴用炭酸泉の簡易製造装置は，簡潔な構造で手軽に使用することができ，継続して炭酸ガスを安定して発生させることができ，かつ，発生する炭酸ガスの濃度を高濃度に長時間にわたって維持させることができるので、一般家庭での浴槽において手軽に安心して用いることができることはもとより、公衆浴場やホテル，温泉等の公衆入浴施設，その他エステサロンやスパ等の健康増進施設等における業務上の使用にも好適である。
【００２６】
請求項２に係る発明においては、水中ポンプと金網状の漉し器付き溶解タンクとからなる粉末状成分の溶解・攪拌装置本体を一対用い，それを湯船の両側端部又は偶角部に対向離隔して配置し，その粉末状成分の溶解・攪拌装置本体の一方をアルカリ性成分用，他方を酸性成分用となし、前記粉末状のアルカリ性成分と粉末状の酸性成分とは前記対向離隔して配置された一方の溶解・攪拌装置本体と他方の溶解・攪拌装置本体とで夫々別々に溶解・攪拌されて，夫々の溶解・攪拌装置本体の水中ポンプ吐出口より浴湯中深くにまで落とし込まれるようになしたので、溶液状となったアルカリ性成分と酸性成分とは，浴湯中で対向離隔されたところから緩やかに繰り返し循環拡散されて接触反応し，浴湯中に炭酸ガスが継続して発生されるようになり，アルカリ性成分と酸性成分とが短時のうちに浴湯の表層面の方で接触反応して炭酸ガスが発生し外部に飛散されてしまうなどという虞はない。
そしてこの場合には，粉末状のアルカリ性成分と粉末状の酸性成分の溶解・攪拌を時間差をおいて行う必要がなく同時に行うこともでき，したがって，各粉末状成分の溶解・攪拌能率を高め，浴湯中での継続した炭酸ガスの発生と発生する炭酸ガス濃度を長時間にわたって高濃度に維持させることを一層迅速，容易，確実，かつ効率的に行うことができる。
【００２７】
請求項３に係る発明においては、アルカリ性成分又は酸性成分の粉末状成分の溶解・攪拌装置本体を湯船の四隅に対向離隔して配置し，この四隅に対向する粉末状成分の溶解・攪拌装置本体を四隅交互にアルカリ性成分用と酸性成分用とに分け、前記夫々の溶解タンク内に取り入れられた浴湯中および溶解タンク内の金網状の漉し器内面上に投入された粉末状のアルカリ性成分又は粉末状の酸性成分は前記夫々の下方の水中ポンプに吸引される溶解タンク内に取り入れられた浴湯中の温水の旋回流を受けて金網状の漉し器を通過せしめられ夫々別々に溶解・攪拌されて，水中ポンプ吐出口より浴湯中深くにまで落とし込まれ，その溶液状となったアルカリ性成分と酸性成分とは溶解タンクと水中ポンプとを介した温水の循環還流により浴湯中で互いに緩やかに繰り返し循環拡散されて接触し，浴湯中に炭酸ガスが継続して発生されるようになしたので、アルカリ性成分と酸性成分とが短時のうちに浴湯の表層面近くで接触反応して炭酸ガスが発生し外部に飛散されてしまうなどという虞はなく，そしてこの場合には，粉末状のアルカリ性成分と粉末状の酸性成分の溶解・攪拌を時間差をおいて行う必要がなく四偶の位置で同時に行うこともでき，したがって，各粉末状成分の温水中への溶解・攪拌能率を高めることができ，浴湯中での継続した炭酸ガスの発生と発生する炭酸ガス濃度を長時間にわたって高濃度に維持させることを更に迅速，容易，確実，かつ効率的に行うことができる。
【００２８】
請求項４に係る発明においては、粉末状の成分の溶解タンク内に配設する目の細かい金網状の漉し器の形状を下方に向けて深くＵ字形に湾曲するＵ字型形状もしくは上方に向けて浅く逆Ｕ字形に湾曲するフラットな皿型形状となしたものであるが、これによって粉末状成分の溶解・攪拌を効率的に行うことができる。
【００２９】
請求項５に係る発明においては、粉末状成分の溶解タンク内周面にメッシュないしブラシ状のマットを張り巡らし，水中ポンプからの吸引に伴う溶解タンク内へ取り入れられた浴湯中の温水の旋回流を受けて目の細かい金網状の漉し器を通過せしめられることにより溶解・攪拌される粉末状のアルカリ性成分又は粉末状の酸性成分を更に前記張り巡らされたメッシュないしブラシ状のマットの絡みつく繊維内へ押し込み通過させるようになしたので、各粉末状成分の温水中への溶解・攪拌能率を高め，各粉末状成分の温水中への溶解度の高揚化を一層図ることができる。
【００３０】
請求項６に係る発明においては、粉末状のアルカリ性成分又は粉末状の酸性成分を投入し溶解・攪拌を図る蓋付きの溶解タンクの湯船の湯面に対する位置決め姿勢として、タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用いるべく、溶解タンクを棒状ないし紐状の吊り下げ具を介して湯船の縁枠ないし壁面等に吊り下げ配置せしめるようになしたので、溶解タンク内への粉末状成分の投入と浴湯中の温水の取入れと粉末状成分の溶解・攪拌を効率よく安定して行うことができる。
【００３１】
請求項７に係る発明においては、  粉末状のアルカリ性成分又は粉末状の酸性成分を投入し溶解・攪拌を図る蓋付きの溶解タンクの湯船の湯面に対する位置決め姿勢として、タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用いるべく、タンク周面に配設の複数の小孔より上方のタンク上側部周面にタンクと一体の円板型等鍔状の浮き体を付設せしめて溶解タンクの浮き体より上側部分を浴湯の湯面上に浮かせて溶解タンクを揺動ないし旋回可能となしたので、この湯船にゆらゆらと浮かぶ溶解タンクの揺動ないし旋回作用によって，各粉末状成分の温水中への溶解・攪拌能率の高揚と溶解度の高揚を図ることができる。
【００３２】
請求項８に係る発明においては、粉末状のアルカリ性成分又は粉末状の酸性成分を投入し溶解・攪拌を図る蓋付きの溶解タンクの湯船の湯面に対する位置決め姿勢として、タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用いるべく、タンク周面に配設の複数の小孔より上方のタンク上側部周面に発泡スチロール製等のドーナツ円板型等の浮き体を付設せしめて溶解タンクの浮き体より上側部分を浴湯の湯面上に浮かせて溶解タンクを揺動ないし旋回可能となしたので、同じくこの湯船にゆらゆらと浮かぶ溶解タンクの揺動ないし旋回作用によって，各粉末状成分の温水中への溶解・攪拌能率の高揚と溶解度の高揚を図ることができる。
【００３３】
請求項９に係る発明においては、浴湯中で継続して炭酸ガスを発生させ，その炭酸ガス濃度を長時間にわたって高濃度に維持させるために，アルカリ性成分として粉末状の重曹（炭酸水素ナトリウム），炭酸ナトリウム等のアルカリを用い，酸性成分として粉末状のクエン酸，コハク酸等の酸を用いるようになしたので、高濃度で長時間維持可能な炭酸泉を手軽にかつ経済的に得ることができる。
【図面の簡単な説明】
【００３４】
【図１】本発明の実施の一例に係る浴用炭酸泉の簡易製造装置の縦断面図。
【図２】本発明の粉末状成分の溶解タンクの一例を示す縦断面図。
【図３】本発明の粉末状成分の溶解タンクの他の一例を示す縦断面図。
【図４】本発明の粉末状成分の溶解・攪拌装置本体の配置例説明図。
【発明を実施するための最良の形態】
【００３５】
別紙図面を参照して、本発明に係る浴用炭酸泉の簡易製造装置を実施するための具体的形態である実施の一例について説明する。
【実施例１】
【００３６】
図１は、本発明の実施の一例に係る炭酸泉の製造装置の縦断面図である。
１は湯船で，ＡとＢはこの湯船１内の両側端部又は偶角部（対角線上の隅部）に対向離隔して配置された一対の粉末状成分の溶解・攪拌装置本体である。
浴湯中に炭酸ガスを発生させるための粉末状成分としては、アルカリ性成分として，粉末状の重曹（炭酸水素ナトリウム），粉末状の炭酸ナトリウム等のアルカリを用い、酸性成分として，粉末状のクエン酸，粉末状のコハク酸等の酸を用いる。
【００３７】
粉末状成分の溶解・攪拌装置本体Ａ，Ｂは、タンク周面に配設の複数の小孔３を介して内部に湯船１の浴湯を取り入れてその小孔３より下方のタンク下側部を湯面下方の浴湯中に位置せしめ，その小孔３より上方のタンク上側部を湯面上に位置せしめて用い粉末状のアルカリ性成分又は粉末状の酸性成分を投入する蓋付きの溶解タンク２と，その下方に接続して浴湯中に配置され前記溶解タンク２内に取り入れられた湯船の浴湯の吸引に伴い湯船の浴湯中の温水を循環還流せしめる水中ポンプ４とからなっている。
溶解タンク２の湯船１の湯面に対する位置決め姿勢として、タンク周面に配設の複数の小孔３を介して内部に湯船１の浴湯を取り入れてその小孔３より下方のタンク下側部を湯面下方の浴湯中に位置せしめ，その小孔３より上方のタンク上側部を湯面上に位置せしめて用いるべく、図2に示す如く、タンク周面に配設の複数の小孔３より上方のタンク上側部周面にタンクと一体の円板型等の鍔状の浮き体５を付設せしめて溶解タンク２の浮き体５より上側部分を浴湯の湯面上に浮かせて溶解タンク２を揺動ないし旋回可能となしている。
【００３８】
溶解タンク２の湯船１の湯面に対する位置決め姿勢としては、上記のタンクと一体の円板型等の鍔状の浮き体５を用いる代わりに、図3に示す如く、タンク周面に配設の複数の小孔３より上方のタンク上側部周面に発泡スチロール製等のドーナツ円板型等の浮き体６を付設せしめて溶解タンク２の浮き体６より上側部分を浴湯の湯面上に浮かせて溶解タンク２を揺動ないし旋回可能となしてもよい。
また、上記浮き体５或いは６を用いる代わりに、溶解タンク２を棒状ないし紐状の吊り下げ具を介して湯船の縁枠ないし壁面等に吊り下げ配置せしめるようになしてもよい。
【００３９】
溶解タンク２の下面中央部には，内外両面に向かって所定長さ突出し，下方の水中ポンプ４に接続する受け筒７が突出されている。
【００４０】
溶解タンク２内には前記受け筒７の上側面に下面を臨ませた目の細かい金網状の漉し器８が付設されており、水中ポンプ４は溶解タンク２内に取り入れられた浴湯中の温水を吸引して旋回流となして金網状の漉し器８と相まって粉末状成分の溶解・攪拌を図り、浴湯中深くにまで落としこみ湯船内を循環還流させる。
金網状の漉し器８の形状は図2、図3の如く深く湾曲したＵ字型湾曲形状或いは浅く湾曲した逆Ｕ字型湾曲形状いずれでもよい。
【００４１】
また，溶解タンク２内周面には，メッシュないしブラシ状のマット９が張り巡らされている。  溶解タンク２内に付設された目の細かい金網状の漉し器７の内面上に粉末状のアルカリ性成分又は粉末状の酸性成分を投入する。
この金網状の漉し器８内面上に投入された粉末状のアルカリ性成分又は粉末状の酸性成分は溶解タンク２内に導入されてくる浴湯中及び金網状の漉し器８内面に向けて投入され、下方の水中ポンプ２による溶解タンク２内に導入されてくる浴湯の吸引に伴う浴湯の温水の旋回流を受けて金網状の漉し器８を通過せしめられて，またメッシュないしブラシ状のマット９の絡みつく繊維内を押し込み通過されることによって迅速，容易，確実に溶解・攪拌されながら水中ポンプ４の吐出口を介して浴湯中奥深くにまで落とし込まれる。
浴湯中に夫々別々に確実に均一に溶解されて溶液状となったアルカリ性成分と酸性成分とは、水中ポンプ２と溶解タンク３を介した温水の循環還流により浴湯中で緩やかに繰り返し循環拡散されている間に接触反応し，浴湯中に炭酸ガスが継続して発生されるようになる。  したがって，アルカリ性成分と酸性成分とが短時のうちに浴湯の表層面の近くで接触反応して炭酸ガスが発生し外部に飛散されてしまうなどという虞はなく、浴湯中に継続して炭酸ガスが発生されるとともに、その発生する炭酸ガスの濃度も長時間にわたって高濃度に安定して維持させることができる。
【実施例２】
【００４２】
図４は、本発明の更に他の実施の一例に係る炭酸泉の製造装置の平面図である。この場合には、粉末状成分の溶解・攪拌装置本体Ａ，Ｂ，Ｃ，Ｄの４基を用い、それを湯船１の四隅に対向離隔して配置したものであり、溶解・攪拌装置本体Ａ，Ｂ，Ｃ，Ｄは夫々交互に酸性成分用とアルカリ成分用とに振り分けられている。
したがって，この場合には、各粉末状成分の温水中への溶解・攪拌能率の高揚とその溶解度の高揚を一層図ることができる。
【符号の説明】
【００４３】
１  湯船
２  溶解タンク
３  小孔（吸い込み孔）
４  水中ポンプ
５  タンクと一体型浮き体
６  タンクと別体型浮き体
７  受け筒
８  目の細かい金網状の漉し器
９  メッシュないしブラシ状のマット
Ａ  粉末状成分の溶解・攪拌装置本体
Ｂ  粉末状成分の溶解・攪拌装置本体
Ｃ  粉末状成分の溶解・攪拌装置本体
Ｄ  粉末状成分の溶解・攪拌装置本体
【図１】
2014004503.tif 000003
【図２】
2014004503.tif 000004
【図３】
2014004503.tif 000005
【図４】
2014004503.tif 000006